(57)【特許請求の範囲】
【請求項１】
少なくとも映像コンテンツを複数種類の再生モードにより再生制御するための項目がそれぞれ配置されたメニュー画面を生成するメニュー画面生成手段と、
所定の外部表示装置と接続された接続状態が相互に機器間制御を行うことが可能な相互機器制御機能を発揮できる状態であるか否かを検出する検出手段と、
上記検出手段によって上記相互機器制御機能を発揮できる状態であることを検出した場合、上記メニュー画面生成手段によって生成された上記メニュー画面のみを上記外部表示装置へ強制的に出力し、当該外部表示装置の表示部に表示させる一方、上記相互機器制御機能を発揮できる状態ではないことを検出した場合、上記メニュー画面を出力しない強制出力手段と
を具え、
上記強制出力手段は、上記メニュー画面に対して何らかの操作が行われた後、所定時間が経過するまでに次の操作が行われなかった場合、上記外部表示装置に対する上記メニュー画面の出力を停止する
映像出力装置。
【請求項２】
上記強制出力手段は、上記メニュー画面の出力を停止した後、上記外部表示装置の上記表示部に対して何らかの操作が行われた場合、当該メニュー画面を再度強制的に出力する
請求項１に記載の映像出力装置。
【請求項３】
上記映像出力装置は、
上記メニュー画面を上記外部表示装置へ強制的に出力するか否かに拘わらず、自身のモニターに当該メニュー画面を表示し続けるメニュー画面出力手段と
を具える請求項２に記載の映像出力装置。
【請求項４】
上記メニュー画面生成手段は、上記再生モードとして、一つの上記映像コンテンツを所定時間間隔で区切り、その区切られた複数のコンテンツ部分を任意に選択させて再生させるシーン検索モードための上記項目を配置した上記メニュー画面を生成する
請求項１に記載の映像出力装置。
【請求項５】
上記メニュー画面生成手段は、上記再生モードとして、一つの上記映像コンテンツに映し出されている複数の人物に対する顔画像がそれぞれ含まれた複数のコンテンツ部分に分け、当該複数のコンテンツ部分を任意に選択させて再生させる顔画像検索モードための上記項目を配置した上記メニュー画面を生成する
請求項１に記載の映像出力装置。
【請求項６】
上記検出手段は、ＨＤＭＩ規格におけるＣＥＣ接続状態を検出する
請求項１に記載の映像出力装置。
【請求項７】
少なくとも映像コンテンツを複数種類の再生モードにより再生制御するための項目がそれぞれ配置されたメニュー画面をメニュー画面生成手段によって生成するメニュー画面生成ステップと、
所定の外部表示装置と接続された接続状態が相互に機器間制御を行うことが可能な相互機器制御機能を発揮できる状態であるか否かを検出手段によって検出する検出ステップと、
上記検出ステップで上記相互機器制御機能を発揮できる状態であることを検出した場合、上記メニュー画面生成手段によって生成された上記メニュー画面のみを強制出力手段により上記外部表示装置へ強制的に出力し、当該外部表示装置の表示部に表示させる一方、上記相互機器制御機能を発揮できる状態ではないことを検出した場合、上記メニュー画面を出力しない強制表示ステップと
を有し、
上記強制表示ステップでは、上記メニュー画面に対して何らかの操作が行われた後、所定時間が経過するまでに次の操作が行われなかった場合、上記外部表示装置に対する上記メニュー画面の出力を停止する
映像出力装置のメニュー画面強制表示方法。
【発明の詳細な説明】
【技術分野】
【０００１】
本発明は、映像出力装置及び映像出力装置のメニュー画面強制表示方法に関し、例えばディジタルビデオカメラやデジタルカメラに適用して好適なものである。
【背景技術】
【０００２】
従来、デジタルカメラにおいては、当該デジタルカメラのパネル表示部に操作キー画像を表示し、外部表示装置に操作メニューを含む画像を表示し、当該外部表示装置の操作メニューを含む画像をユーザに対して目視確認させながら、デジタルカメラのパネル表示部の操作キー画像に対して操作入力を受け付けさせるようになされたものがある（例えば、特許文献１参照）。
【０００３】
この場合、ユーザは外部表示装置に表示された操作メニューを含む画像を目視確認しながら、デジタルカメラのパネル表示部に表示された操作キー画像を操作しなければならず、外部表示装置及びデジタルカメラ双方に目を配りながら操作しなければならない。
【特許文献１】特開2007-67730公報
【０００４】
また従来、デジタルビデオカメラにおいては、テレビジョン（以下、これをＴＶと呼ぶ）と接続されたとき、ＴＶのリモートコントローラ（以下、これをＴＶリモコン）によって当該デジタルビデオカメラを操作することはできず、あくまでデジタルビデオカメラのリモートコントローラ（以下、これをカメラリモコンと呼ぶ）によって当該デジタルビデオカメラを操作する必要がある。
【０００５】
すなわち、デジタルビデオカメラとＴＶとが接続された場合であっても、デジタルビデオカメラを操作するにはカメラリモコンを用い、ＴＶを操作するにはＴＶリモコンを用いなければならず、操作性が非常に悪かった。
【０００６】
このような問題を解決するべく、デジタルビデオカメラとＴＶとをＨＤＭＩ(High Definition Multimedia Interface)規格のインタフェースであるＨＤＭＩケーブルを介して相互に接続し、ＴＶに対するＴＶリモコンの操作によってデジタルビデオカメラを操作することが可能なＣＥＣ(Consumer Electronics Control)が用いられている。
【０００７】
ここでＣＥＣとは、ＨＤＭＩによって規格化されている機器制御信号と制御プロトコルであり、各機器間（この場合は、デジタルビデオカメラとＴＶ）を相互に制御することができる相互機器制御機能のことである。
【発明の開示】
【発明が解決しようとする課題】
【０００８】
ところでかかる構成のデジタルビデオカメラにおいては、当該デジタルビデオカメラとＴＶとの間で相互機器制御機能を発揮できる状態で接続されたこと（以下、これをＣＥＣ接続と呼ぶ）をユーザに対して通知するという仕様が規格化されていないため、デジタルビデオカメラとＴＶとの接続が確立したか否かをユーザが判断できないという問題があった。
【０００９】
またデジタルビデオカメラとＴＶとがＣＥＣ接続されたとき、デジタルビデオカメラがＴＶへ出力して表示させるＯＳＤ(On Screen Display)をＴＶリモコンによってユーザに操作させ得るようになされているが、デジタルビデオカメラからＴＶへＯＳＤを常に出力するように設定されているとは限らない。
【００１０】
そのような場合、デジタルビデオカメラではＯＳＤを当該デジタルビデオカメラからＴＶへ出力するように設定しなければならず、デジタルビデオカメラとＴＶとがＣＥＣ接続された場合でも直ちにＴＶに対するＴＶリモコンの操作によりデジタルビデオカメラをコントロールすることが出来ず、操作性が悪いという問題があった。
【００１１】
また、デジタルビデオカメラでは、ＴＶに対して一度ＯＳＤを出力するように設定した場合、ＴＶにＯＳＤを出力させ続けることになり、当該ＴＶが表示する映像の視聴に集中したいユーザにとっては当該ＯＳＤが邪魔になり、またＯＳＤの出力を停止させるにはデジタルビデオカメラの設定を変更しなければならず、操作性が悪いという問題があった。
【００１２】
本発明は以上の点を考慮してなされたもので、映像出力装置と外部表示装置とが相互機器制御機能を発揮できる状態で接続された場合に当該外部表示装置から直ちに映像出力装置を操作し制御し得るようになされた映像出力装置及びそのための制御画面を外部表示装置に対して表示させ得る映像出力装置のメニュー画面強制表示方法を提案しようとするものである。
【課題を解決するための手段】
【００１３】
かかる課題を解決するため本発明の映像出力装置においては、少なくとも映像コンテンツを複数種類の再生モードにより再生制御するための項目がそれぞれ配置されたメニュー画面を生成するメニュー画面生成手段と、所定の外部表示装置と接続された接続状態が相互に機器間制御を行うことが可能な相互機器制御機能を発揮できる状態であるか否かを検出する検出手段と、当該検出手段によって相互機器制御機能を発揮できる状態であることを検出した場合、メニュー画面生成手段によって生成されたメニュー画面のみを外部表示装置へ強制的に出力し、当該外部表示装置の表示部に表示させる一方、相互機器制御機能を発揮できる状態ではないことを検出した場合、メニュー画面を出力しない強制出力手段とを具え、強制出力手段は、メニュー画面に対して何らかの操作が行われた後、所定時間が経過するまでに次の操作が行われなかった場合、外部表示装置に対するメニュー画面の出力を停止するようにする。
【００１４】
これにより、映像出力装置と外部表示装置との接続状態を検出しているだけでなく、映像出力装置が相互機器制御機能を発揮できる状態で外部表示装置と接続されたことを検出した場合、メニュー画面のみを外部表示装置へ強制的に出力してユーザに目視確認させ、直ちに映像出力装置に対するユーザ所望の再生モードに応じた再生制御を外部表示装置経由で行わせることができる一方、相互機器制御機能を発揮できる状態ではないことを検出した場合、メニュー画面を出力せず、メニュー画面を表示した後でも、当該メニュー画面に対して何らかの操作が行われた後、所定時間が経過するまでに次の操作が行われなかった場合、外部表示装置に対するメニュー画面の出力を停止することにより、メニュー画面を消去して外部表示装置の表示映像だけを目視確認させることができる。
【００１５】
また本発明における映像出力装置のメニュー画面強制表示方法においては、少なくとも映像コンテンツを複数種類の再生モードにより再生制御するための項目がそれぞれ配置されたメニュー画面をメニュー画面生成手段によって生成するメニュー画面生成ステップと、所定の外部表示装置と接続された接続状態が相互に機器間制御を行うことが可能な相互機器制御機能を発揮できる状態であるか否かを検出手段によって検出する検出ステップと、当該検出ステップで相互機器制御機能を発揮できる状態であることを検出した場合、メニュー画面生成手段によって生成されたメニュー画面のみを強制出力手段により外部表示装置へ強制的に出力し、当該外部表示装置の表示部に表示させる一方、相互機器制御機能を発揮できる状態ではないことを検出した場合、メニュー画面を出力しない強制表示ステップとを有し、強制表示ステップでは、メニュー画面に対して何らかの操作が行われた後、所定時間が経過するまでに次の操作が行われなかった場合、外部表示装置に対するメニュー画面の出力を停止するようにする。
【００１６】
これにより、映像出力装置と外部表示装置との接続状態を検出しているだけでなく、映像出力装置が相互機器制御機能を発揮できる状態で外部表示装置と接続されたことを検出した場合、メニュー画面のみを外部表示装置へ強制的に出力してユーザに目視確認させ、直ちに映像出力装置に対するユーザ所望の再生モードに応じた再生制御を外部表示装置経由で行わせることができる一方、相互機器制御機能を発揮できる状態ではないことを検出した場合、メニュー画面を出力せず、メニュー画面を表示した後でも、当該メニュー画面に対して何らかの操作が行われた後、所定時間が経過するまでに次の操作が行われなかった場合、外部表示装置に対するメニュー画面の出力を停止することにより、メニュー画面を消去して外部表示装置の表示映像だけを目視確認させることができる。
【発明の効果】
【００１７】
本発明によれば、映像出力装置と外部表示装置との接続状態を検出しているだけでなく、映像出力装置が相互機器制御機能を発揮できる状態で外部表示装置と接続されたことを検出した場合、メニュー画面のみを外部表示装置へ強制的に出力してユーザに目視確認させ、直ちに映像出力装置に対するユーザ所望の再生モードに応じた再生制御を外部表示装置経由で行わせることができる一方、相互機器制御機能を発揮できる状態ではないことを検出した場合、メニュー画面を出力せず、メニュー画面を表示した後でも、当該メニュー画面に対して何らかの操作が行われた後、所定時間が経過するまでに次の操作が行われなかった場合、外部表示装置に対するメニュー画面の出力を停止することにより、メニュー画面を消去して外部表示装置の表示映像だけを目視確認させることができ、かくして映像出力装置と外部表示装置とが相互機器制御機能を発揮できる状態で接続された場合に当該外部表示装置から直ちに映像出力装置を操作し制御し得る映像出力装置及びそのための制御画面を外部表示装置に対して表示させ得るメニュー画面強制表示方法を実現することができる。
【発明を実施するための最良の形態】
【００１８】
以下、図面について、本発明の一実施の形態を詳述する。
【００１９】
（１）映像再生システムの全体構成
図１において、１は全体として映像再生システムを示し、デジタルビデオカメラ２と、１９２０×１０８０画素のフルＨＤ(High Definition)対応のＴＶ３とがＨＤＭＩケーブル４によって接続された構成を有する。
【００２０】
因みに、デジタルビデオカメラ２及びＴＶ３は、双方共にＣＥＣ規格に対応しており、ＨＤＭＩケーブル４によって相互接続されたとき、ＣＥＣ接続し得るようになされている。
【００２１】
従って映像再生システム１では、デジタルビデオカメラ２とＴＶ３とがＨＤＭＩケーブル４により相互機器制御機能を発揮できる状態でＣＥＣ接続され、デジタルビデオカメラ２を制御するためのＯＳＤでなるメニューや操作ボタン等が当該ＴＶ３に対して表示された場合、ＴＶリモコン５からのＴＶ３に対するＯＳＤ操作によってデジタルビデオカメラ２を間接的に操作し得るようになされている。
【００２２】
（２）デジタルビデオカメラの回路構成
図２に示すようにデジタルビデオカメラ２は、ＣＰＵ(Central Processing Unit)構成でなるマイクロプロセッサ６がハードディスクドライブ１６から起動した基本プログラム及び各種アプリケーションプログラムに従って撮影処理、再生処理及びＣＥＣ接続処理等の各種処理を実行すると共に、全体を統括制御するようになされている。
【００２３】
実際上、デジタルビデオカメラ２は、撮影時、撮像部１０のレンズ１１によって撮像対象の被写体をＣＣＤ(Charge Coupled Device)等でなる撮像素子１２に結像させ、その結果得られる映像信号Ｓ１を信号処理部１３へ送出する。
【００２４】
信号処理部１３は、映像信号Ｓ１に対してガンマ補正、ＡＧＣ(Auto Gain Control)等の処理を行うと共に、当該映像信号Ｓ１をデジタルの映像データＳ２に変換し、その映像データＳ２をエンコーダ／デコーダ１４へ送出する。
【００２５】
エンコーダ／デコーダ１４は、映像データＳ２に対して所定の圧縮符号化方式に従って圧縮符号化処理を行い、その結果得られる圧縮映像データＳ３を記録再生回路１５によりハードディスクドライブ１６に対して書き込む。
【００２６】
またデジタルビデオカメラ２は、再生時、記録再生回路１５によってハードディスクドライブ１６に書き込まれている圧縮映像データＳ３を読出し、それをエンコーダ／デコーダ１４によって復号化することにより元の映像データＳ２を復元し、それを重畳回路１８経由でＬＣＤ１９へ出力することにより当該映像データＳ２に応じた再生映像を当該ＬＣＤ１９に表示する。
【００２７】
ところでデジタルビデオカメラ２のマイクロプロセッサ６は、ＨＤＭＩインタフェース２１を有しており、当該ＨＤＭＩインタフェース２１からＨＤＭＩケーブル４（図１）を介してＴＶ３とＣＥＣ接続されたことを認識すると、ＯＳＤ生成回路１７によって当該デジタルビデオカメラ２を制御するためのメニュー項目や操作ボタン等の各種再生制御ボタンをＯＳＤデータＤ１として生成し、これを重畳回路１８へ送出する。
【００２８】
重畳回路１８は、エンコーダ／デコーダ１４から再生後の映像データＳ２の供給を受けている場合、ＯＳＤ生成回路１７から供給されたＯＳＤデータＤ１を映像データＳ２に重畳し、その結果得られるＯＳＤ重畳映像データＳＤ１をＬＣＤ１９へ出力すると共に、ＨＤＭＩインタフェース２１からＨＤＭＩケーブル４を介してＴＶ３へ出力する。
【００２９】
また重畳回路１８は、エンコーダ／デコーダ１４から再生後の映像データＳ２の供給を受けていない場合、ＯＳＤ生成回路１７から供給されたＯＳＤデータＤ１だけをＬＣＤ１９へ出力すると共に、ＨＤＭＩインタフェース２１からＨＤＭＩケーブル４を介してＴＶ３へ出力する。
【００３０】
なおデジタルビデオカメラ２のマイクロプロセッサ６は、ＬＣＤ１９の前面に設けられたタッチパネル２０に対するユーザのタッチ操作に応じて当該デジタルビデオカメラ２における各種状態を設定し得るようになされており、接続対象のＴＶ３に対してＯＳＤを出力する出力状態または出力しない非出力状態の何れかを選択させ得るようになされている。
【００３１】
（３）ＣＥＣ接続状態に応じたＯＳＤ出力制御パターン
次に、この映像再生システム１において、デジタルビデオカメラ２とＴＶ３とがＣＥＣ接続される前や、ＣＥＣ接続されたときの各種状態における当該デジタルビデオカメラ２のＯＳＤ出力制御パターンについて説明する。
【００３２】
図３（Ａ）に示すように、映像再生システム１におけるデジタルビデオカメラ２とＴＶ３とがＨＤＭＩケーブル４によって接続されていないＣＥＣ非接続状態の場合、図３（Ｂ）に示すように、デジタルビデオカメラ２のＬＣＤ１９に表示される映像ＭＶ１の内容と、ＴＶ３のモニタ３Ａに表示される映像ＭＶ２の内容とは基本的に異なり、当該ＴＶ３のモニタ３Ａにデジタルビデオカメラ２のＯＳＤが表示されることもない。
【００３３】
これに対して図４（Ａ）に示すように、映像再生システム１におけるデジタルビデオカメラ２とＴＶ３とがＨＤＭＩケーブル４を介して物理的に接続されたことによって最初にＣＥＣ接続状態へ遷移したとき、図４（Ｂ）に示すように、デジタルビデオカメラ２はＬＣＤ１９に対してＯＳＤでなる複数のメニュー項目が含まれたメニュー画面ＭＧ１を表示すると共に当該メニュー画面ＭＧ１をＴＶ３へ強制的に出力する。
【００３４】
これによりＴＶ３では、デジタルビデオカメラ２から供給を受けたメニュー画面ＭＧ１をモニタ３Ａに表示し、当該モニタ３Ａに表示されたメニュー画面ＭＧ１のメニュー項目に対するＴＶリモコン５からの選択及び決定を受け付けられるようになされている。
【００３５】
図５に示すように、このメニュー画面ＭＧ１では、画面を閉じるための「閉じる」ボタン３１、バッテリー残量を示す「バッテリー」アイコン３２、「再生モード情報」アイコン３３、１９２０×１０８０画素でなるフルＨＤの映像データを３５[Mbps]の転送速度で記録する「ＨＤＨＱ」モード又は１９２０×１０８０画素でなるフルＨＤの映像データを２５[Mbps]の転送速度で記録する「ＨＤＳＰ」モードを示す「録画モード」アイコン３４、「ヘルプ」アイコン３５、「画像記録」ボタン３６及び「画像再生」ボタン３７等がＯＳＤとして設けられている。
【００３６】
またメニュー画面ＭＧ１では、４種類の再生モードを示す「ビジュアルインデックス」ボタン３８、「フィルムインデックス」ボタン３９、「フェイスインデックス」ボタン４０及び「プレイリスト」ボタン４１についてもＯＳＤとして設けられている。
【００３７】
ここで、メニュー画面ＭＧ１の「ビジュアルインデックス」ボタン３８は、デジタルビデオカメラ２の最も基本となる再生機能を実行するものであり、内蔵のハードディスクドライブ１６に記録されている複数の映像コンテンツにおける最初のシーンをサムネイル表示し、その中の何れかが選択されたとき当該選択されたシーンの映像コンテンツを最初から最後まで再生する通常再生モードに対応したものである。
【００３８】
実際上、デジタルビデオカメラ２のマイクロプロセッサ６は、ＴＶ３のモニタ３Ａに表示されたメニュー画面ＭＧ１の中からＯＳＤの「ビジュアルインデックス」ボタン３８がＴＶリモコン５からのユーザ操作によって選択されたことを認識すると、ハードディスクドライブ１６に格納されている複数の映像コンテンツに基づいて、図６に示すようなビジュアルインデックス画面ＢＤ１を生成し、これをＬＣＤ１９に表示すると共にＴＶ３のモニタ３Ａに表示させる。
【００３９】
このビジュアルインデックス画面ＢＤ１では、通常再生可能な複数の映像コンテンツにおける最初のシーンをそれぞれ表した「シーン」アイコンＳＣＮ１〜ＳＣＮ６がＯＳＤとしてサムネイル表示されており、デジタルビデオカメラ２によって再生可能な複数の映像コンテンツを、「シーン」アイコンＳＣＮ１〜ＳＣＮ６を介して視覚的にユーザへ提示するようになされている。
【００４０】
これによりＴＶ３では、デジタルビデオカメラ２から供給を受けたビジュアルインデックス画面ＢＤ１をモニタ３Ａに表示し、当該ビジュアルインデックス画面ＢＤ１の「シーン」アイコンＳＣＮ１〜ＳＣＮ６に対するＴＶリモコン５からの選択及び決定を受け付けられるようになされている。
【００４１】
従ってデジタルビデオカメラ２のマイクロプロセッサ６は、ＴＶ３のモニタ３Ａに表示されたビジュアルインデックス画面ＢＤ１における「シーン」アイコンＳＣＮ１〜ＳＣＮ６の何れかがＴＶリモコン５によって選択されたとき、図５との対応部分に同一符号を付した図７に示すように、その選択された例えば「シーン」アイコンＳＣＮ１に対応した映像コンテンツを最初から最後まで再生し、そのときの再生映像ＭＶ１をＬＣＤ１９に表示すると共にＴＶ３のモニタ３Ａに表示する。
【００４２】
同時にデジタルビデオカメラ２のマイクロプロセッサ６は、「再生／一時停止」ボタンＢ１、「停止」ボタンＢ２、「早送り」ボタンＢ３、「早戻し」ボタンＢ４、「送り側スキップ」ボタンＢ５及び「戻し側スキップ」ボタンＢ６等の再生制御ボタンをＯＳＤとして再生映像ＭＶ１に重畳することによりＯＳＤ重畳映像データＳＤ１（図２）を生成し、当該ＯＳＤ重畳映像データＳＤ１に基づくＯＳＤ重畳映像ＢＤ２をＬＣＤ１９に表示すると共にＴＶ３のモニタ３Ａに表示する。
【００４３】
これによりＴＶ３では、デジタルビデオカメラ２から供給を受けたＯＳＤ重畳映像データＳＤ１に基づくＯＳＤ重畳映像ＢＤ２をモニタ３Ａに表示し、当該ＯＳＤ重畳映像ＢＤ２のＯＳＤでなる再生制御ボタンに対するＴＶリモコン５からの選択及び決定を受け付けられるようになされている。
【００４４】
すなわちデジタルビデオカメラ２のマイクロプロセッサ６は、ＴＶ３のモニタ３Ａに表示されたＯＳＤ重畳映像ＢＤ２の「再生／一時停止」ボタンＢ１、「停止」ボタンＢ２、「早送り」ボタンＢ３、「早戻し」ボタンＢ４、「送り側スキップ」ボタンＢ５及び「戻し側スキップ」ボタンＢ６等がＴＶリモコン５によって選択及び決定されたとき、そのときの命令に応じた再生処理を行い、その再生結果をＬＣＤ１９に表示すると共にＴＶ３のモニタ３Ａに表示するようになされている。
【００４５】
続いて、メニュー画面ＭＧ１（図５）の「フィルムインデックス」ボタン３９は、内蔵のハードディスクドライブ１６に記録されている一つの映像コンテンツを所定時間間隔（例えば３秒間）で区切り、その区切られた複数のコンテンツ部分を任意に選択させることにより、ユーザに対して、その映像コンテンツの中からユーザが最も見たいシーンが含まれているコンテンツ部分を容易に検索させるシーン検索モードに対応したものである。
【００４６】
実際上、デジタルビデオカメラ２のマイクロプロセッサ６は、ＴＶ３のモニタ３Ａに表示されたメニュー画面ＭＧ１の中からＯＳＤの「フィルムインデックス」ボタン３９がＴＶリモコン５からのユーザ操作によって選択されたことを認識すると、ハードディスクドライブ１６に格納されている一つの映像コンテンツに基づいて、図８に示すようなフィルムインデックス画面ＦＤ１を生成し、これをＬＣＤ１９に表示すると共にＴＶ３のモニタ３Ａに表示する。
【００４７】
このフィルムインデックス画面ＦＤ１では、一つの映像コンテンツを所定時間間隔（例えば３秒間）で区切り、その区切られた複数のコンテンツ部分に対する最初のシーンをそれぞれ表した「シーン」アイコンＢＳＣＮ１〜ＢＳＣＮ１０がＯＳＤとしてサムネイル表示されており、一つの映像コンテンツにおける複数のコンテンツ部分を、「シーン」アイコンＢＳＣＮ１〜ＢＳＣＮ１０を介して視覚的にユーザへ提示するようになされている。
【００４８】
これによりＴＶ３では、デジタルビデオカメラ２から供給を受けたフィルムインデックス画面ＦＤ１をモニタ３Ａに表示し、当該フィルムインデックス画面ＦＤ１の「シーン」アイコンＢＳＣＮ１〜ＢＳＣＮ１０に対するＴＶリモコン５からの選択及び決定を受け付けられるようになされている。
【００４９】
従ってデジタルビデオカメラ２のマイクロプロセッサ６は、ＴＶ３のモニタ３Ａに表示されたフィルムインデックス画面ＦＤ１における「シーン」アイコンＢＳＣＮ１〜ＢＳＣＮ１０の何れかがＴＶリモコン５によって選択されたとき、その選択された例えば「シーン」アイコンＢＳＣＮ１に対応した部分コンテンツを再生し、その再生結果に対してＯＳＤの各種再生制御ボタンを重畳したＯＳＤ重畳再生映像（図示せず）を生成し、これをＬＣＤ１９に表示すると共にＴＶ３へ出力する。
【００５０】
これによりＴＶ３では、デジタルビデオカメラ２から供給を受けたＯＳＤ重畳再生映像をモニタ３Ａに表示し、当該ＯＳＤ重畳再生映像におけるＯＳＤの各種再生制御ボタンに対するＴＶリモコン５からの選択及び決定を受け付けられるようになされている。
【００５１】
次に、メニュー画面ＭＧ１の「フェイスインデックス」ボタン４０は、内蔵のハードディスクドライブ１６に記録されている一つの映像コンテンツに映し出されている複数の人物に対する顔画像がそれぞれ含まれた複数のコンテンツ部分に分け、その何れかを選択させることにより、ユーザに対して、その映像コンテンツの中からユーザが最も見たい顔画像の含まれるコンテンツ部分だけを容易に検索させる顔画像検索モードに対応したものである。
【００５２】
実際上、デジタルビデオカメラ２のマイクロプロセッサ６は、ＴＶ３のモニタ３Ａに表示されたメニュー画面ＭＧ１の中から「フェイスインデックス」ボタン４０がＴＶリモコン５からのユーザ操作によって選択されたことを認識すると、ハードディスクドライブ１６に格納されている任意の映像コンテンツに基づいて、図９に示すようなフェイスインデックス画面ＦＡＤ１を生成し、これをＬＣＤ１９に表示すると共にＴＶ３のモニタ３Ａに表示する。
【００５３】
このフェイスインデックス画面ＦＡＤ１では、一つの映像コンテンツに含まれる複数の人物に対するそれぞれの顔画像を含む「シーン」アイコンＦＳＣＮ１〜ＦＳＣＮ８がＯＳＤとしてサムネイル表示されており、顔画像がそれぞれ含まれている複数のコンテンツ部分を、「シーン」アイコンＦＳＣＮ１〜ＦＳＣＮ８を介して視覚的にユーザへ提示するようになされている。
【００５４】
これによりＴＶ３では、デジタルビデオカメラ２から供給を受けたフェイスインデックス画面ＦＡＤ１をモニタ３Ａに表示し、当該フェイスインデックス画面ＦＡＤ１の「シーン」アイコンＦＳＣＮ１〜ＦＳＣＮ８に対するＴＶリモコン５からの選択及び決定を受け付けられるようになされている。
【００５５】
従ってデジタルビデオカメラ２のマイクロプロセッサ６は、ＴＶ３のモニタ３Ａに表示されたフェイスインデックス画面ＦＡＤ１における「シーン」アイコンＦＳＣＮ１〜ＦＳＣＮ８の何れかがＴＶリモコン５によって選択されたとき、その選択された例えばシーンＦＳＣＮ１に対応した部分コンテンツを当該シーンＦＳＣＮ１を先頭に再生し、その再生結果に対してＯＳＤの各種再生制御ボタンを重畳したＯＳＤ重畳再生映像（図示せず）を生成し、これをＬＣＤ１９に表示すると共にＴＶ３へ出力する。
【００５６】
これによりＴＶ３では、デジタルビデオカメラ２から供給を受けたＯＳＤ重畳再生映像をモニタ３Ａに表示し、当該ＯＳＤ重畳再生映像におけるＯＳＤの各種再生制御ボタンに対するＴＶリモコン５からの選択及び決定を受け付けられるようになされている。
【００５７】
最後に、メニュー画面ＭＧ１の「プレイリスト」ボタン４１は、内蔵のハードディスクドライブ１６に記録されている複数の映像コンテンツの中から、ユーザによって選択された複数の映像コンテンツをプレイリスト化し、そのプレイリストにおける複数の映像コンテンツの何れかを選択させることにより、ユーザに対して、プレイリストの中からユーザ所望の映像コンテンツを検索して再生するプレイリスト検索モードに対応したものである。
【００５８】
実際上、デジタルビデオカメラ２のマイクロプロセッサ６は、ＴＶ３のモニタ３Ａに表示されたメニュー画面ＭＧ１の中から「プレイリスト」ボタン４１がＴＶリモコン５からのユーザ操作によって選択されたことを認識すると、ユーザによって任意に選択された複数の映像コンテンツを示すプレイリストに基づく、図１０に示すようなプレイリスト画面ＰＬ１を生成し、これをＬＣＤ１９に表示すると共にＴＶ３のモニタ３Ａに表示する。
【００５９】
このプレイリスト画面ＰＬ１では、プレイリストに登録されている複数の映像コンテンツにそれぞれ対応した複数のシーンが含まれる「シーン」アイコンＰＳＣＮ１〜ＰＳＣＮ６がＯＳＤとしてサムネイル表示されており、これら複数の映像コンテンツを、「シーン」アイコンＰＳＣＮ１〜ＰＳＣＮ６を介して視覚的にユーザへ提示するようになされている。
【００６０】
これによりＴＶ３では、デジタルビデオカメラ２から供給を受けたプレイリスト画面ＰＬ１をモニタ３Ａに表示し、当該プレイリスト画面ＰＬ１の「シーン」アイコンＰＳＣＮ１〜ＰＳＣＮ６に対するＴＶリモコン５からの選択及び決定を受け付けられるようになされている。
【００６１】
従ってデジタルビデオカメラ２のマイクロプロセッサ６は、ＴＶ３のモニタ３Ａに表示されたプレイリスト画面ＰＬ１におけるシーンＰＳＣＮ１〜ＰＳＣＮ６の何れかがＴＶリモコン５によって選択されたとき、その選択された例えばシーンＰＳＣＮ１に対応した映像コンテンツを再生し、その再生結果に対してＯＳＤの各種再生制御ボタンを重畳したＯＳＤ重畳再生映像（図示せず）を生成し、これをＬＣＤ１９に表示すると共にＴＶ３へ出力する。
【００６２】
これによりＴＶ３では、デジタルビデオカメラ２から供給を受けたＯＳＤ重畳部分再生映像をモニタ３Ａに表示し、当該ＯＳＤ重畳再生映像におけるＯＳＤの各種再生制御ボタンに対するＴＶリモコン５からの選択及び決定を受け付けられるようになされている。
【００６３】
このようにデジタルビデオカメラ２のマイクロプロセッサ６は、メニュー画面ＭＧ１をＬＣＤ１９及びＴＶ３のモニタ３Ａの双方に表示した後、ＯＳＤでなる「ビジュアルインデックス」ボタン３８、「フィルムインデックス」ボタン３９、「フェイスインデックス」ボタン４０及び「プレイリスト」ボタン４１の何れかが選択され、その選択結果に応じた再生処理を開始した場合、図１１に示すように、ＯＳＤでなる「再生／一時停止」ボタンＢ１、「停止」ボタンＢ２、「早送り」ボタンＢ３、「早戻し」ボタンＢ４、「送り側スキップ」ボタンＢ５及び「戻し側スキップ」ボタンＢ６等の各種再生制御ボタンが重畳されたＯＳＤ重畳再生映像ＰＭＶ１をＬＣＤ１９に表示すると共に、ＴＶ３へ出力して当該ＴＶ３のモニタ３ＡにもＯＳＤ重畳再生映像ＰＭＶ１を表示するようになされている。
【００６４】
その後、デジタルビデオカメラ２のマイクロプロセッサ６は、ＴＶ３に対するＴＶリモコン５からの操作が所定時間（例えば５秒間）以上も無いとき、ユーザにＯＳＤ重畳再生映像ＰＭＶ１の各種再生制御ボタンを操作する意思がないと判断し、ＴＶ３のモニタ３Ａに表示された再生映像の視聴に集中させるべく、ＯＳＤの各種再生制御ボタンをＴＶ３へ出力することを停止し、図１２に示すように、ＯＳＤ重畳再生映像ＰＭＶ１から当該各種再生制御ボタンが消去された再生映像ＰＭＶ０をＴＶ３のモニタ３Ａに対して表示するようになされている。
【００６５】
（４）ＯＳＤ出力制御処理手順
このようなデジタルビデオカメラ２においてマイクロプロセッサ６がアプリケーションプログラムであるＯＳＤ出力制御処理プログラムに従ってＯＳＤをＴＶ３へ出力するときのＯＳＤ出力制御処理手順を図１３のフローチャートを用いて次に説明する。
【００６６】
実際上、デジタルビデオカメラ２のマイクロプロセッサ６は、ルーチンＲＴ１の開始ステップから入って次のステップＳＰ１へ移る。
【００６７】
ステップＳＰ１においてデジタルビデオカメラ２のマイクロプロセッサ６は、当該デジタルビデオカメラ２とＴＶ３とがＨＤＭＩケーブル４によって物理的に接続され、当該デジタルビデオカメラ２とＴＶ３との間でＣＥＣ接続が確立したことを検出すると、次のステップＳＰ２へ移る。
【００６８】
ステップＳＰ２においてデジタルビデオカメラ２のマイクロプロセッサ６は、図５において上述したようなＯＳＤの各種ボタンが設けられたメニュー画面ＭＧ１をＬＣＤ１９に表示し、次のステップＳＰ３へ移る。
【００６９】
ステップＳＰ３においてデジタルビデオカメラ２のマイクロプロセッサ６は、ＬＣＤ１９に表示したメニュー画面ＭＧ１（図５）をＨＤＭＩケーブル４経由でＴＶ３に対しても強制的に出力し、当該ＴＶ３のモニタ３Ａにメニュー画面ＭＧ１を表示させ、次のステップＳＰ４へ移る。
【００７０】
ステップＳＰ４においてデジタルビデオカメラ２のマイクロプロセッサ６は、当該デジタルビデオカメラ２とＴＶ３とのＣＥＣ接続が現在も継続しているか否かを判定する。
【００７１】
ここで否定結果が得られると、このことはデジタルビデオカメラ２とＴＶ３とのＨＤＭＩケーブル４による接続状態が解除される等の要因によってＣＥＣ接続が解消され、現時点ではＴＶリモコン５からＴＶ３を介してデジタルビデオカメラ２を間接的にコントロールすることが出来ないことを表しており、このときデジタルビデオカメラ２のマイクロプロセッサ６はＯＳＤをＴＶ３のモニタ３Ａに対して表示する必要がないと判断し、ステップＳＰ１４へ移って処理を終了する。
【００７２】
これに対してステップＳＰ４で肯定結果が得られると、このことは当該デジタルビデオカメラ２とＴＶ３とのＣＥＣ接続が現在も継続しており、このときデジタルビデオカメラ２のマイクロプロセッサ６はＯＳＤをＴＶ３のモニタ３Ａに対して表示する必要があると判断し、次のステップＳＰ５へ移る。
【００７３】
ステップＳＰ５においてデジタルビデオカメラ２のマイクロプロセッサ６は、ＴＶ３のモニタ３Ａに表示したＯＳＤのメニュー画面ＭＧ１に対して、ＴＶリモコン５を介してユーザによる何らかの操作を受け付けたか否かを判定する。
【００７４】
ここで否定結果が得られると、メニュー画面ＭＧ１のＯＳＤでなる「ビジュアルインデックス」ボタン３８、「フィルムインデックス」ボタン３９、「フェイスインデックス」ボタン４０及び「プレイリスト」ボタン４１の何れについてもＴＶリモコン５によって選択されておらず、デジタルビデオカメラ２に対する何らかの再生命令が入力されていないことを表しており、このときデジタルビデオカメラ２のマイクロプロセッサ６はステップＳＰ３へ戻って当該ステップＳＰ３以降の処理を繰り返し、何らかの再生命令が与えられるまで待ち受ける。
【００７５】
これに対してステップＳＰ５で肯定結果が得られると、このことはメニュー画面ＭＧ１のＯＳＤでなる「ビジュアルインデックス」ボタン３８、「フィルムインデックス」ボタン３９、「フェイスインデックス」ボタン４０及び「プレイリスト」ボタン４１の何れかに対して、ＴＶリモコン５による選択及び決定が行われ、実際に再生処理を開始する旨の再生命令が与えられたことを表しており、このときデジタルビデオカメラ２のマイクロプロセッサ６は次のステップＳＰ６へ移る。
【００７６】
ステップＳＰ６においてデジタルビデオカメラ２のマイクロプロセッサ６は、再生命令に応じた再生結果の再生映像に対して、「再生／一時停止」ボタンＢ１、「停止」ボタンＢ２、「早送り」ボタンＢ３、「早戻し」ボタンＢ４、「送り側スキップ」ボタンＢ５及び「戻し側スキップ」ボタンＢ６等のＯＳＤでなる各種再生制御ボタンを重畳することにより例えばＯＳＤ重畳再生映像ＰＭＶ１（図１１）を生成し、これをＬＣＤ１９に表示すると共にＴＶ３へ強制的に出力し、次のステップＳＰ７へ移る。
【００７７】
ステップＳＰ７においてデジタルビデオカメラ２のマイクロプロセッサ６は、ＯＳＤ重畳再生映像ＰＭＶ１（図１１）をＴＶ３へ強制的に出力してモニタ３Ａに表示させた時点からタイマーによる経過時間をカウントし、次のステップＳＰ８へ移る。
【００７８】
ステップＳＰ８においてデジタルビデオカメラ２のマイクロプロセッサ６は、タイマーによる経過時間のカウントを開始した以降、ＴＶリモコン５によるユーザの操作があったか否かを判定する。
【００７９】
ここで否定結果が得られると、このことはデジタルビデオカメラ２のマイクロプロセッサ６が、ＯＳＤ重畳再生映像ＰＭＶ１（図１１）をＴＶ３へ強制的に出力してモニタ３Ａに表示させてからＴＶリモコン５によるユーザ操作が行われていないことを表しており、このとき当該デジタルビデオカメラ２のマイクロプロセッサ６は次のステップＳＰ９へ移る。
【００８０】
ステップＳＰ９においてデジタルビデオカメラ２のマイクロプロセッサ６は、タイマーによる経過時間のカウントを開始した後、５秒間が経過したか否かを判定し、否定結果が得られるとステップＳＰ８へ戻り、当該ステップＳＰ８でＴＶリモコン５によるユーザ操作が行われたことを検出した場合、次のステップＳＰ１０へ移る。
【００８１】
ステップＳＰ１０においてデジタルビデオカメラ２のマイクロプロセッサ６は、ＴＶ３のモニタ３Ａに表示したＯＳＤ重畳再生映像ＰＭＶ１（図１１）のＯＳＤでなる各種再生制御ボタンに対してＴＶリモコン５によるユーザ操作があったので、タイマーによる経過時間のカウントを停止してカウント値をリセットすると共にカウントを再開し、次のステップＳＰ１１へ移る。
【００８２】
ステップＳＰ１１においてデジタルビデオカメラ２のマイクロプロセッサ６は、ＴＶ３のモニタ３Ａに表示したＯＳＤ重畳再生映像ＰＭＶ１（図１１）のＯＳＤでなる各種再生制御ボタンに対してＴＶリモコン５によるユーザ操作が、タイマーによる経過時間のカウントを開始してから５秒以内にあったので、ユーザによるＴＶリモコン５に対する次の操作が行われる可能性が高いと判断し、ＯＳＤでなる各種再生制御ボタンが重畳されたＯＳＤ重畳再生映像ＰＭＶ１をＴＶ３へ出力することを継続し、ステップＳＰ８へ戻る。
【００８３】
これに対してステップＳＰ９で肯定結果が得られると、このことはＴＶ３のモニタ３Ａに表示したＯＳＤ重畳再生映像ＰＭＶ１のＯＳＤでなる各種再生制御ボタンに対してＴＶリモコン５によるユーザ操作がないまま、５秒間が経過したことを表しており、このときデジタルビデオカメラ２のマイクロプロセッサ６は次のステップＳＰ１２へ移る。
【００８４】
ステップＳＰ１２においてデジタルビデオカメラ２のマイクロプロセッサ６は、ＴＶ３のモニタ３Ａに表示したＯＳＤ重畳再生映像ＰＭＶ１のＯＳＤでなる各種再生制御ボタンに対するＴＶリモコン５によるユーザ操作がないため、これは何ら操作することなくユーザがモニタ３Ａの視聴に専念したいという意思を有していると判断し、タイマーによる経過時間のカウントを停止してカウント値をリセットすると共にカウントを再開し、次のステップＳＰ１３へ移る。
【００８５】
ステップＳＰ１３においてデジタルビデオカメラ２のマイクロプロセッサ６は、ＴＶ３のモニタ３Ａに対してＯＳＤでなる各種再生制御ボタンを表示させることがないように、再生結果の再生映像に対してＯＳＤの各種再生制御ボタンを重畳することのないまま、その再生映像だけをＴＶ３へ出力することによりＯＳＤ出力を停止した後、再度ステップＳＰ８へ戻る。
【００８６】
従ってデジタルビデオカメラ２のマイクロプロセッサ６は、当該ステップＳＰ８でユーザ操作があった場合にはステップＳＰ１０、ステップＳＰ１１を経て、ＯＳＤの各種再生制御ボタンを重畳したＯＳＤ重畳再生映像ＰＭＶ１をＴＶ３へ再度強制的に出力し、以降の処理を繰り返す。
【００８７】
（５）動作及び効果
以上の構成において、再生映像システム１のデジタルビデオカメラ２は、ＨＤＭＩケーブル４を介してＴＶ３とのＣＥＣ接続が確立したことを認識すると、当該デジタルビデオカメラ２がＯＳＤ出力を自動的に行う設定であるか否かに拘わらず、ＯＳＤでなるメニュー画面ＭＧ１（図５）をＬＣＤ１９に表示すると共にＴＶ３へ強制的に出力してモニタ３Ａにもメニュー画面ＭＧ１を表示させる。
【００８８】
これによりデジタルビデオカメラ２のマイクロプロセッサ６は、ＴＶ３のモニタ３Ａに対して強制的に表示させた当該デジタルビデオカメラ２のメニュー画面ＭＧ１をユーザに対して目視確認させることにより、ＴＶリモコン５に対する操作によりＴＶ３を介して当該デジタルビデオカメラ２を間接的にコントロールし得ることを通知することができる。
【００８９】
同時にデジタルビデオカメラ２のマイクロプロセッサ６は、ＴＶ３のモニタ３Ａに対して強制的に表示させた当該デジタルビデオカメラ２のメニュー画面ＭＧ１をＴＶリモコン５によって選択及び決定させ得るようになったことにより、デジタルビデオカメラ２とＴＶ３とがＣＥＣ接続された時点で直ちにＴＶ３から間接的にデジタルビデオカメラ２を制御させることができる。
【００９０】
またデジタルビデオカメラ２のマイクロプロセッサ６は、ＯＳＤ重畳再生映像ＰＭＶ１（図１１、図１２）をＴＶ３のモニタ３Ａに表示中、当該ＯＳＤ重畳再生映像ＰＭＶ１のＯＳＤでなる各種再生制御ボタンに対するＴＶリモコン５によるユーザ操作が５秒間なかった場合、ＯＳＤ出力を停止した再生映像ＰＭＶ０をＴＶ３のモニタ３Ａに表示すべく制御することにより、再生操作を行う意思のないユーザに対して各種再生制御ボタンがなく見易い再生映像ＰＭＶ０を視聴させることができる。
【００９１】
このときデジタルビデオカメラ２のマイクロプロセッサ６は、ＴＶ３のモニタ３Ａに対して再生映像ＰＭＶ０を表示したときであっても、ＬＣＤ１９に対しては終始ＯＳＤ重畳再生映像ＰＭＶ１を表示するようにしたことにより、ＴＶ３の大画面でなるモニタ３Ａをユーザ視聴用として使用し、かつ小画面のＬＣＤ１９を再生制御用として使用するように使い分けることが出来る。
【００９２】
なおデジタルビデオカメラ２のマイクロプロセッサ６は、ＴＶリモコン５によるユーザ操作が５秒間なかった場合であっても、ＬＣＤ１９に表示したＯＳＤの各種再生制御ボタンがタッチ操作された場合には、ルーチンＲＴ１のＯＳＤ出力制御処理手順におけるステップＳＰ８で肯定結果が得られることになり、ＯＳＤ出力を継続した状態のＯＳＤ重畳再生映像ＰＭＶ１をＴＶ３のモニタ３Ａに表示し続けることが出来る。
【００９３】
すなわちデジタルビデオカメラ２のマイクロプロセッサ６は、ＴＶ３のモニタ３Ａに対するＴＶリモコン５によるユーザ操作であろうが、ＬＣＤ１９に対するタッチ操作であろうが関係なく、ユーザ操作を受け付けたときには、ＯＳＤ出力を継続した状態のＯＳＤ重畳再生映像ＰＭＶ１をＴＶ３のモニタ３Ａに表示し続けることができる。
【００９４】
なお、デジタルビデオカメラ２のマイクロプロセッサ６は、ＴＶ３とのＣＥＣ接続が確立されたときに強制的に出力するＯＳＤのメニュー画面ＭＧ１については、再生結果の再生映像ではないため、メニュー画面ＭＧ１における「ビジュアルインデックス」ボタン３８、「フィルムインデックス」ボタン３９、「フェイスインデックス」ボタン４０及び「プレイリスト」ボタン４１の何れかを選択させるのに５秒間のタイマーによる時間制限を設けないようにしたことにより、ユーザに対して急がせることなく再生モードを選択させることが出来る。
【００９５】
以上の構成によれば、映像再生システム１のデジタルビデオカメラ２は、ＨＤＭＩケーブル４を介してＴＶ３とのＣＥＣ接続が確立できた時点で、当該デジタルビデオカメラ２がＯＳＤ出力を自動的に行う設定であるか否かに拘わらず、ＴＶ３へ強制的にＯＳＤ出力することにより、ユーザに対して何ら煩雑な設定操作等を強いることなく当該ＴＶ３のＴＶリモコン５によってデジタルビデオカメラ２を直ちに操作させることができる。
【００９６】
（６）他の実施の形態
なお上述の実施の形態においては、双方共にＣＥＣ規格に対応したデジタルビデオカメラ２とＴＶ３とがＣＥＣ接続されたときにデジタルビデオカメラ２からＴＶ３へ強制的にＯＳＤのメニュー画面ＭＧ１を出力するようにした場合について述べたが、本発明はこれに限らず、図１４に示すように、ＣＥＣ規格に対応したデジタルビデオカメラ２と、ＣＥＣ規格に非対応のＣＥＣ非対応ＴＶ１００とがＨＤＭＩケーブル４によって接続されたときには、ＣＥＣ非対応ＴＶ１００ではＴＶリモコン１０５を介してデジタルビデオカメラ２を間接的にコントロールすることが出来ないため、強制的にＯＳＤのメニュー画面ＭＧ１を出力せず、ＯＳＤ重畳再生映像ＰＭＶ１（図１１、図１２）のＯＳＤでなる各種再生制御ボタンを出力しないようにしても良い。
【００９７】
また上述の実施の形態においては、ＯＳＤのメニュー画面ＭＧ１を介してユーザ所望の再生モードを選択させ、ＯＳＤ重畳再生映像ＰＭＶ１のＯＳＤでなる各種再生制御ボタンを選択させることにより再生制御を行うようにした場合について述べたが、本発明はこれに限らず、メニュー画面ＭＧ１と同様の記録メニュー画面（図示せず）を介して記録モードを選択させ、かつＯＳＤ重畳記録制御画面（図示せず）を介して記録制御を行うようにしても良い。
【００９８】
さらに上述の実施の形態においては、タイマーによる経過時間のカウントを開始した後、何らユーザ操作が行われることなく５秒間が経過したときにＯＳＤ出力を停止するようにした場合について述べたが、本発明はこれに限らず、制限時間を３秒間や１０秒間等のその他種々の経過時間を設定するようにしても良い。
【００９９】
さらに上述の実施の形態においては、デジタルビデオカメラ２のマイクロプロセッサ６がアプリケーションプログラムであるＯＳＤ出力制御処理プログラムに従ってルーチンＲＴ１のＯＳＤ出力制御処理手順（図１３）を実行するようにした場合について述べたが、本発明はこれに限らず、ＣＤ(Compact Disc)や半導体メモリ等の記録媒体からインストールしたＯＳＤ出力制御処理プログラムや、インターネットからダウンロードしたＯＳＤ出力制御処理プログラム、その他種々のルートによってインストールしたＯＳＤ出力制御処理プログラムに従って上述したルーチンＲＴ１のＯＳＤ出力制御処理手順を実行するようにしても良い。
【０１００】
さらに上述の実施の形態においては、ＣＥＣ対応のデジタルビデオカメラ２とＣＥＣ対応のＴＶ３とがＨＤＭＩケーブル４でＣＥＣ接続された映像再生システム１に用いるようにした場合について述べたが、本発明はこれに限らず、ＣＥＣ対応のデジタルカメラ、携帯電話機、ＰＤＡ(Personal Digital Assistant) 、ゲーム機器等の映像コンテンツに対する記録、再生機能を有する電子機器と、ＣＥＣ対応のパーソナルコンピュータ、携帯電話機、ＰＤＡ、ゲーム機器等の映像表示機能を有する電子機器とがＨＤＭＩケーブル４以外の他のケーブルを介して、ＣＥＣ接続と同様な、接続された各機器間において相互に制御することができる規格を有する映像再生システムに用いるようにしても良い。
【０１０１】
さらに上述の実施の形態においては、ＯＳＤ生成手段としてのＯＳＤ生成回路１７と、検出手段及び強制出力手段としてのマイクロプロセッサ６とによって本発明の映像出力装置としてのデジタルビデオカメラ２を構成するようにした場合について述べたが、本発明はこれに限らず、その他種々の回路構成でなるＯＳＤ生成手段、検出手段及び強制出力手段によって本発明の映像出力装置を構成するようにしても良い。
【産業上の利用可能性】
【０１０２】
本発明の映像出力装置及び制御画面強制表示方法は、例えばデジタルビデオカメラ以外のデジタルスチールカメラ、ビデオ撮影機能や画像撮影機能を搭載した携帯電話機、ビデオ撮影機能や画像撮影機能を搭載したノートブック型パーソナルコンピュータ、ビデオ撮影機能や画像撮影機能を搭載したゲーム機、ビデオ撮影機能や画像撮影機能を搭載したＰＤＡ等のその他種々の電子機器に適用することができる。
【図面の簡単な説明】
【０１０３】
【図１】映像再生システムの全体構成を示す略線的斜視図である。
【図２】デジタルビデオカメラの回路構成を示す略線的ブロック図である。
【図３】ＣＥＣ非接続状態におけるＯＳＤ出力制御パターンの説明に供する略線図である。
【図４】最初にＣＥＣ接続状態へ遷移したときのＯＳＤ出力制御パターンの説明に供する略線図である。
【図５】メニュー画面の構成を示す略線図である。
【図６】ビジュアルインデックス画面の構成を示す略線図である。
【図７】ＯＳＤ重畳映像の説明に供する略線図である。
【図８】フィルムインデックス画面の構成を示す略線図である。
【図９】フェイスインデックス画面の構成を示す略線図である。
【図１０】プレイリスト画面の構成を示す略線図である。
【図１１】ＯＳＤ重畳再生映像の表示状態を示す略線図である。
【図１２】ＯＳＤの出力停止状態を示す略線図である。
【図１３】ＯＳＤ出力制御処理手順を示すフローチャートである。
【図１４】他の実施の形態におけるＣＥＣ対応デジタルビデオカメラとＣＥＣ非対応ＴＶとが接続されたときのＯＳＤ出力制御パターンの説明に供する略線図である。
【符号の説明】
【０１０４】
１……映像再生システム、２……デジタルビデオカメラ、３……ＴＶ、４……ＨＤＭＩケーブル、５……ＴＶリモコン、６……マイクロプロセッサ、１０……撮像部、１１……レンズ、１２……撮像素子、１３……信号処理回路、１４……エンコーダ／デコーダ、１５……記録再生回路、１６……ハードディスクドライブ、１７……ＯＳＤ生成回路、１８……重畳回路、１９……ＬＣＤ、２０……タッチパネル、２１……ＨＤＭＩインタフェース。
【図１】
0004596280.tif 000002
【図２】
0004596280.tif 000003
【図３】
0004596280.tif 000004
【図４】
0004596280.tif 000005
【図５】
0004596280.tif 000006
【図６】
0004596280.tif 000007
【図７】
0004596280.tif 000008
【図８】
0004596280.tif 000009
【図９】
0004596280.tif 000010
【図１０】
0004596280.tif 000011
【図１１】
0004596280.tif 000012
【図１２】
0004596280.tif 000013
【図１３】
0004596280.tif 000014
【図１４】
0004596280.tif 000015